(57)【要約】【課題】コンテンツ被表示部の表面側にいる人と裏面側にいる人が、両側から並行してコンテンツ被表示部に表示されたコンテンツを見た場合であっても、文字やコンテンツの提供を適切に行うこと。【解決手段】開示の技術の一態様に係る表示装置は、第１面と第２面とを有するコンテンツ被表示部の前記第１面に、第１の領域と第２の領域を含む画像又は映像であるコンテンツを投射する投射部と、投射された前記コンテンツを前記第２面から見た際に前記第１の領域と前記第２の領域に投射された該コンテンツを視認することができ、投射された前記コンテンツを前記第１面から見た際に前記第１領域に投射された該コンテンツを視認できないように、前記コンテンツ被表示部と前記投射部の間に配置された第１遮蔽部と、を備える。【選択図】図１
2020148969.tif 000002
【特許請求の範囲】
【請求項１】
第１面と第２面とを有するコンテンツ被表示部の前記第１面に、第１の領域と第２の領域を含む画像又は映像であるコンテンツを投射する投射部と、
投射された前記コンテンツを前記第２面から見た際に前記第１の領域と前記第２の領域に投射された該コンテンツを視認することができ、投射された前記コンテンツを前記第１面から見た際に前記第１領域に投射された該コンテンツを視認できないように、前記コンテンツ被表示部と前記投射部の間に配置された第１遮蔽部と、を備える
表示装置。
【請求項２】
前記投射部は、前記コンテンツを前記コンテンツ被表示部へ投射する出射面を有し、
前記第１遮蔽部は、前記コンテンツ被表示部上における前記第１の領域と前記第２の領域の境界と、前記出射面上における前記コンテンツの前記第１の領域と前記第２の領域の境界とを結ぶ面に少なくとも一部が配置される
請求項１に記載の表示装置。
【請求項３】
前記第１の遮蔽部は、前記投射部に向けてテーパ状になっている
請求項１又は２に記載の表示装置。
【請求項４】
前記表示部は、さらに、
前記第２面に設けられ、投射された前記コンテンツを前記第２面から見た際に前記第２の領域に投射された該コンテンツの少なくとも一部を遮蔽する第２遮蔽部を備える
請求項1乃至３の何れか一項に記載の表示装置。
【請求項５】
前記表示装置は、さらに、前記コンテンツ被表示部を有する
請求項１乃至４の何れか一項に記載の表示装置。
【請求項６】
前記表示装置は、さらに、
前記コンテンツ被表示部を収納する収納部と、を備え、
前記収納部は、前記コンテンツ被表示部を巻き取る巻取部を備える
請求項５に記載の表示装置。
【請求項７】
第１面と第２面とを有するコンテンツ被表示部の前記表面に、第１の領域と第２の領域を含む画像又は映像であるコンテンツを投射する投射工程と、
投射された前記コンテンツを前記第２面から見た際に前記第１の領域と前記第２の領域に投射された該コンテンツを視認することができ、投射された前記コンテンツを前記第１面から見た際に前記第１領域に投射された該コンテンツを視認できないように、前記コンテンツ被表示部と前記投射部の間に配置された第１遮蔽工程と、を含む
表示方法。
【請求項８】
表示装置と通信可能に接続された画像処理装置であって、
操作者の指示を受け付ける指示受付部と、
入力された文字データ、画像データ又は映像データに基づき、コンテンツデータを生成するコンテンツデータ生成部と、
前記コンテンツデータを表示するコンテンツデータ表示部と、
前記指示に応じて、前記コンテンツデータにおける前記文字データ、前記画像データ又は前記映像データの少なくとも一方を左右反転させる反転処理部と、
処理後の前記コンテンツデータを前記表示装置に送信する送信部と、を備える
画像処理装置。
【請求項９】
前記指示に応じて、前記コンテンツデータにおける前記文字データ、前記画像データ又は前記映像データの少なくとも一方の位置を変更させる位置変更処理部と、
前記指示に応じて、前記コンテンツデータにおける前記文字データ、前記画像データ又は前記映像データの少なくとも一方のサイズを変更させるサイズ変更処理部と、をさらに備える
請求項８に記載の画像処理装置。
【請求項１０】
表示装置と、前記表示装置と通信可能に接続された画像処理装置と、を含む表示システムであって、
前記表示装置は、
第１面と第２面とを有するコンテンツ被表示部の前記第１面に、第１の領域と第２の領域を含む画像又は映像であるコンテンツを投射する投射部と、
投射された前記コンテンツを前記裏面から見た際に前記第１の領域と前記第２の領域に投射された該コンテンツを視認することができ、投射された前記コンテンツを前記表面から見た際に前記第１領域に投射された該コンテンツを視認できないように、前記コンテンツ被表示部と前記投射部の間に配置された第１遮蔽部と、を備え、
前記画像処理装置は、
操作者の指示を受け付ける指示受付部と、
入力された文字データ、画像データ又は映像データに基づき、コンテンツデータを生成するコンテンツデータ生成部と、
前記コンテンツデータを表示するコンテンツデータ表示部と、
前記指示に応じて、前記コンテンツデータにおける前記文字データ、画像データ又は映像データの少なくとも一方を左右反転させる反転処理部と、
処理後の前記コンテンツデータを前記表示装置に送信する送信部と、を備える
表示システム。
【請求項１１】
画像処理装置を、
操作者の指示を受け付ける指示受付部、
入力された文字データ及びコンテンツ画像データを含むコンテンツデータを生成するコンテンツデータ生成部、
前記コンテンツデータを表示するコンテンツデータ表示部、
前記指示に応じて、前記コンテンツデータにおける前記文字データ、画像データ、又は映像データの少なくとも一方を左右反転させる反転処理部、及び
処理後の前記コンテンツデータを送信する送信部、
として機能させるためのプログラム。
【発明の詳細な説明】
【技術分野】
【０００１】
本発明は、表示装置、表示方法、画像処理装置、表示システム、及びプログラムに関する。
【背景技術】
【０００２】
従来、集客や広告等のために、店舗等のウィンドウガラスのフィルムを張った部分に、店舗の内側に設置したプロジェクタ等から、文字や画像又は映像が含まれるコンテンツを投射して、店舗の内側、又は外側にいる人にコンテンツを視認させる技術が知られている。
【０００３】
しかし、ウィンドウガラスにコンテンツを投射する場合、店舗の内側から見た場合と外側から見た場合では、コンテンツに含まれる文字や画像が左右反転する。そのため、店舗の内側に人がいる場合には、店舗の内側から見て文字や画像が認識できるようにコンテンツを投射し、店舗の外側に人がいる場合には、店舗の外側から見てコンテンツが認識できるように、コンテンツを左右反転させて投射する技術が開示されている（例えば、特許文献１参照）。
【０００４】
また、２台のプロジェクタを用い、上述したものと同様に、店舗の内側、又は外側の人がそれぞれ認識できるように、コンテンツを左右反転させて投射する技術が開示されている（例えば、特許文献２参照）。
【発明の概要】
【発明が解決しようとする課題】
【０００５】
しかしながら、店舗のウィンドウガラス等のコンテンツ被表示部の表面側（店舗の内側）にいる人と、裏面側（店舗の外側）にいる人が、両側から並行してコンテンツ被表示部に表示されたコンテンツを見る場合がある。
【０００６】
この場合、店舗の内側から見て認識できるようにコンテンツを投射すると、外側にいる人には左右反転した文字や画像が見える。また、店舗の外側から見て認識できるようにコンテンツを投射すると、内側にいる人には左右反転したコンテンツが見える。このように、何れか一方の側にいる人には文字等の画像の一部が左右反転して見えるため、左右反転した文字等に注意を奪われ、コンテンツによる情報を適切に提供できなくなる場合があった。
【０００７】
また、表面側にいる人と、裏面側にいる人に対して同時に異なるコンテンツを提供することができなかった。
【０００８】
本発明は、上記の点に鑑みてなされたものであって、コンテンツ被表示部の表面側にいる人と裏面側にいる人が、両側から並行してコンテンツ被表示部に表示されたコンテンツを見た場合であっても、文字やコンテンツの提供を適切に行うことを課題とする。
【課題を解決するための手段】
【０００９】
開示の技術の一態様に係る表示装置は、第１面と第２面とを有するコンテンツ被表示部の前記第１面に、第１の領域と第２の領域を含む画像又は映像であるコンテンツを投射する投射部と、投射された前記コンテンツを前記第２面から見た際に前記第１の領域と前記第２の領域に投射された該コンテンツを視認することができ、投射された前記コンテンツを前記第１面から見た際に前記第１領域に投射された該コンテンツを視認できないように、前記コンテンツ被表示部と前記投射部の間に配置された第１遮蔽部と、を備える。
【発明の効果】
【００１０】
開示の技術によれば、コンテンツ被表示部の表面側にいる人と裏面側にいる人が、両側から並行してコンテンツ被表示部に投射されたコンテンツを見た場合であっても、コンテンツの提供を適切に行うことができる。
【図面の簡単な説明】
【００１１】
【図１】第１の実施形態に係る表示システムの構成の一例を説明する図である。
【図２】コンテンツの一例を説明する図であり、（ａ）は視点Ａで視認されるコンテンツを示す図、（ｂ）は反転文字が遮蔽された（ａ）のコンテンツを示す図、（ｃ）は視点Ｂで視認されるコンテンツを示す図、（ｄ）は反転文字が遮蔽された（ｃ）のコンテンツを示す図である。
【図３】コンテンツの一例を説明する図であり、（ａ）は、視点Ａで視認されるコンテンツの一例を示す図、（ｂ）は、視点Ｂで視認されるコンテンツの一例を示す図、（ｃ）は、第１遮蔽部のみを用いた場合に、視点Ａから、プロジェクタ２がウィンドウガラス１に投射したコンテンツを視認した場合の一例を示す図、（ｄ）は、第１遮蔽部のみを用いた場合に、視点Ｂから、プロジェクタがウィンドウガラスに投射したコンテンツを視認した場合の一例を示す図である。
【図４】第１の実施形態に係るプロジェクタの構成の一例を説明する図であり、（ａ）は斜視図、（ｂ）は側面図である。
【図５】実施形態に係るプロジェクタのハードウェア構成の一例を示すブロック図である。
【図６Ａ】ウィンドウガラスと、プロジェクタと、第１遮蔽部との位置関係を説明する図であり、（ａ）はプロジェクタの出射窓上のコンテンツの第１の領域と第２の境界と、ウィンドウガラス上のコンテンツの第１の領域と第２の領域の境界について説明する図、（ｂ）はプロジェクタの出射窓上のコンテンツの第１の領域と第２の領域の境界と、ウィンドウガラス上のコンテンツの第１の領域と第２の領域の境界とを含む面について説明する図である。
【図６Ｂ】ウィンドウガラスと、プロジェクタと、第１遮蔽部との位置関係を説明する図であり、（ａ）ウィンドウガラスと、プロジェクタと、第１遮蔽部との位置の一例を示す図、（ｂ）ウィンドウガラスと、プロジェクタと、第１遮蔽部との位置の一例を示す図である。
【図７】第１遮蔽部の構成の一例を説明する図（その２）であり、（ａ）は実施形態に係る第１遮蔽部の構成の一例を示す図、（ｂ）変形例に係る第１遮蔽部の構成の一例を示す図である。
【図８】実施形態に係るコンピュータのハードウェア構成の一例を示すブロック図である。
【図９】実施形態に係るコンピュータの機能構成の一例を示すブロック図である。
【図１０】実施形態に係るコンピュータによる処理の一例を示すフローチャートである。
【図１１】コンテンツデータの一例を示す図（その１）である。
【図１２】コンテンツデータの一例を示す図（その２）である。
【図１３】コンテンツデータの一例を示す図（その３）である。
【図１４】コンテンツデータの一例を示す図（その４）である。
【図１５】第２の実施形態に係る表示システムの構成の一例を説明する図である。
【図１６】第２の実施形態に係るロールスクリーンの構成の一例を説明する図であり、（ａ）はスクリーンを引き出す前の状態を示す図、（ｂ）はスクリーンを引き出した後の状態を示す図である。
【図１７】第３の実施形態に係る表示システムの構成の一例を説明する図である。
【図１８】変形例に係る表示システムの構成の一例を説明する図である。
【図１９】変形例に係る表示システムによるコンテンツの一例を説明する図であり、（ａ）は遮蔽されていない状態のコンテンツの一例を示す図、（ｂ）は視点Ａでの反転文字及び画像又は映像が遮蔽された（ａ）のコンテンツを示す図、（ｃ）は視点Ｂでの反転文字及び画像又は映像が遮蔽された（ａ）のコンテンツを示す図である。
【図２０】第４の実施形態に係る表示システムの構成の一例を説明する図である。
【発明を実施するための形態】
【００１２】
［第１の実施形態］
以下、図面を参照して発明を実施するための形態について説明する。各図面において、同一構成部分には同一符号を付し、重複した説明を省略する場合がある。
【００１３】
実施形態では、コンテンツ被表示部と、表示装置と、画像処理装置とを有する表示シテムを一例として説明する。
【００１４】
＜第１の実施形態に係る表示システムの構成＞
図１は、本実施形態に係る表示システムの構成の一例を説明する図である。表示システム１００は、ウィンドウガラス１と、表示装置１０と、コンピュータ５とを備える。また、表示装置１０は、プロジェクタ２と、第１遮蔽部３と、第２遮蔽部４とを備える。
【００１５】
コンテンツ被表示部の一例としてのウィンドウガラス１は、店舗等に設けられるウィンドウガラスである。ガラスの表面と裏面の何れか一方に、光を拡散させるための微細構造が形成されている。プロジェクタ２からウィンドウガラス１に向けて、コンテンツが投射されると、ウィンドウガラス１の微細構造により光が拡散し、この拡散面にコンテンツが表示される。
【００１６】
ウィンドウガラス１は、一例として、屈折率及び光拡散性が高いナノダイヤモンド等を微細構造の一部とすることができる。但し、これに限定されるものではなく、例えば、ウィンドウガラス１に、光透過性と光拡散性を備えるフィルムを張ってもよいし、他の構造を備えてもよい。
【００１７】
ウィンドウガラス１は光透過性を有するため、拡散面に投射された文字や画像又は映像を含むコンテンツは、ウィンドウガラス１の表面側（第１面の一例）と裏面側（第２面の一例）の両側から視認可能となる。例えば、ウィンドウガラス１の表面側を店舗の内側とし、裏面側を店舗の外側として、店舗の内側に設けられたプロジェクタ２からコンテンツが投射されると、店舗の内側にいる人と外側にいる人の両方が、このコンテンツを視認することができる。
【００１８】
ここで、コンテンツは、集客や広告等のための文字や画像又は映像を含む画像や映像である。このようなウィンドウガラス等のガラスをコンテンツ被表示部とする表示システムは、ガラスサイネージと呼ばれる。なお、以下では、店舗の外側にいる人が白抜き矢印の方向にコンテンツを見る視点を視点Ａと称し、店舗の内側にいる人が黒太矢印の方向にコンテンツを見る視点を視点Ｂと称する場合がある。
【００１９】
投射部の一例としてのプロジェクタ２は、ウィンドウガラス１の表面側（店舗の内側）に、表面側にコンテンツを投射する。図１では、プロジェクタ２は、天井（図示を省略）から吊り下げられて固定された天吊り式のプロジェクタである。
【００２０】
ウィンドウガラス１は光透過性を有しているため、表面からプロジェクタ２によってコンテンツを投射すると、店舗の内側と外側の両側からコンテンツを視認することができる。
【００２１】
本実施形態では、第１遮蔽部３と第２遮蔽部４を用いて、左右反転した文字や画像又は映像を遮蔽することで、表面側の人と裏面側の人に対してコンテンツを適切に提供できるようにする。また、第１遮蔽部３により、表面側の人と裏面側の人に対して異なるコンテンツを提供できるようにする。
【００２２】
図１では、一点鎖線で囲った部分１Ｂには、コンテンツのうちの一部が裏面側から視認することができる。第１遮蔽部３は、店舗の内側にいる人５０ｂが視点Ｂから見た場合に部分１Ｂを視認できないように遮蔽する。
【００２３】
また、図１では、二点鎖線で囲った部分１Ａには、コンテンツのうちの一部が表面側から視認することができる。第２遮蔽部４は、店舗の外側にいる人５０ａが視点Ａから見た場合に、部分１Ａを視認できないように遮蔽する。
【００２４】
コンテンツや第１遮蔽部３や第２遮蔽部４については、別途、図２を用いて詳述する。
【００２５】
画像処理装置の一例としてのコンピュータ５は、プロジェクタ２と無線、又は有線により、通信可能に接続されている。コンピュータ５は、外部装置から入力された文字データ及び画像又は映像データに基づいて生成したコンテンツデータに対し、表示システムの管理者等の操作者による指示に応じて、所定の画像処理を実行する。そして、処理後のコンテンツデータをプロジェクタ２に送信する。プロジェクタ２は、受信したコンテンツデータに基づき、ウィンドウガラス１にコンテンツを投射することができる。
【００２６】
なお、コンピュータ５は、文字データ及び画像データ又は映像データを、外部装置から入力するだけでなく、内部で生成しても良い。また、画像処理装置はコンピュータ５に限定されるものではなく、スマートフォンやタブレット等で構成されても良い。
【００２７】
＜コンテンツの例＞
次に、本実施形態に係る表示システム１００が表示するコンテンツについて説明する。図２は、コンテンツの一例を説明する図である。
図２（ａ）は、視点Ａで視認されるコンテンツの一例を示す図である。図２（ｂ）は、第２遮蔽部４によって反転文字が遮蔽された（ａ）のコンテンツを視点Ａから視認した場合の一例を示す図である。
また、図２（ｃ）は、視点Ｂで視認されるコンテンツを示す一例を示す図である。図２（ｄ）は、第１遮蔽部３により反転文字が遮蔽された（ｃ）のコンテンツを視点Ｂから視認した場合の一例を示す図である。
【００２８】
図２（ａ）において、部分１Ｂには、文字が正しい方向で表示されている。これに対し、部分１Ａには、文字が左右反転して表示されている。
【００２９】
一方、図２（ｂ）では、部分１Ａには第２遮蔽部４による影１Ｃが出来ており、左右反転した文字が見えなくなっている。このように、左右反転した文字を見えなくすることで、店舗の外側にいる人５０ａ（図１参照）が、左右反転した文字に注意を奪われることを防ぐことができコンテンツの提供を適切に行うことができる。
【００３０】
また、図２（ｃ）において、部分１Ａには、文字が正しい方向で表示されている。これに対し、部分１Ｂには、文字が左右反転して表示されている。
【００３１】
一方、図２（ｄ）では、部分１Ｂには第１遮蔽部３による影１Ｄが出来ており、左右反転した文字が見えなくなっている。このように、左右反転した文字を見えなくすることで、店舗の内側にいる人５０ｂ（図１参照）が左右反転した文字に注意を奪われることを防ぐことができ、コンテンツの提供を適切に行うことができる。
【００３２】
次に、図３は、コンテンツの一例を説明する図であり、図３（ａ）は、視点Ａで視認されるコンテンツの一例を示す図である。図３（ｂ）は、視点Ｂで視認されるコンテンツの一例を示す図である。図３（ａ）において、部分１Ｂには、「新型車登場！！店内にて試乗可能！！ご来店頂くと特別なプレゼントがもらえます！！」という文字が正しい方向に表示されている。このような情報は、店舗の外側にいる人５０ａの興味を惹きつけ、店舗内に入ってもらうために有用な情報となる。また、部分１Ａは、第２遮蔽部４による影で見えなくなっている。
【００３３】
一方、図３（ｂ）では、部分１Ａには、「特別イベント無料参加チケットをプレゼント！！」という文字が正しい方向に表示されている。このような情報は、店舗の外から店舗内に入ってきた店舗の内側にいる人５０ｂにとって、有用な情報である。また、部分１Ｂは、第１遮蔽部３による影で見えなくなっている。
【００３４】
このように、部分１Ａと部分１Ｂとに対応する領域で視認できるコンテンツの内容を異ならせ、店舗の外側にいる人５０ａと、店舗の外側にいる人５０ａに対して、それぞれ有用な情報を提供することができ、目的に適した情報を提供することができる。また、その場合に、左右反転された文字等の情報を見えなくすることで、店舗の内側にいる人５０ｂ、及び店舗の外側にいる人５０ａが、左右反転した文字に注意を奪われることを防ぐことができる。
【００３５】
また、第１遮蔽部３のみを用いて、店舗の内側にいる人５０ｂと、店舗の外側にいる人５０ａに提供するコンテンツの内容を異ならせることができる。
【００３６】
図３（ｃ）は、第１遮蔽部３のみを用いた場合に、視点Ａから、プロジェクタ２がウィンドウガラス１に投射したコンテンツを視認した場合の一例を示す図である。
【００３７】
図３（ｄ）は、第１遮蔽部３のみを用いた場合に、視点Ｂから、プロジェクタ２がウィンドウガラス１に投射したコンテンツを視認した場合の一例を示す図である。
【００３８】
図３（ｃ）に示したように、視点Ａからコンテンツを見ると、コンテンツの内容をすべて確認することができる。一方で、図３（ｄ）に示したように、視点Ｂからコンテンツを見ると、コンテンツの内容の一部を視認することができる。例えば、店の内側にいる人には、図３（ｄ）に示したように、コンテンツの一部のみを提供し、店の外側にいる人には、図３（ｃ）に示したように、コンテンツの全てを提供することができる。
【００３９】
このように、第１遮蔽部のみを用いると、店舗の外側にいる人と、店舗の内側にいる人に対して、それぞれ異なる情報を提供することができる。
【００４０】
本実施形態では、図３（ｃ）及び（ｄ）において、文字が投影されている領域をコンテンツの第1の領域、画像が投影されている領域をコンテンツの第２の領域とする。なお、第１の領域と第２の領域はこれに限られず、店舗の内側にいる人が第１遮蔽部３により視認することができない領域をコンテンツの第１の領域、店舗の内側にいる人が視認できる領域を第２の領域とすればよい。店舗の外側にいる人は第１の領域と第２の領域を視認することができる。
【００４１】
＜第１の実施形態に係るプロジェクタの構成＞
次に、本実施形態に係るプロジェクタ２の構成について説明する。図４は、プロジェクタ２の構成の一例を説明する図であり、（ａ）は斜視図、（ｂ）は側面図である。プロジェクタ２は、コンテンツの投射画像を生成する光学エンジンが内部に設けられ、出射窓２１（出射面の一例）と、外部機器接続Ｉ／Ｆ（Interface）８１８とを備える。
【００４２】
プロジェクタ２は、外部機器接続Ｉ／Ｆ８１８に無線、又は有線で接続されるコンピュータ５からコンテンツデータが送信されると、送信されたコンテンツデータに基づいて光学エンジンがコンテンツを生成する。そして、図４（ｂ）に示すように、出射窓２１からウィンドウガラス１に向けてコンテンツを投射する。一例として、プロジェクタ２は、投射距離が１〜２ｍで６０〜８０インチのサイズの画像を投射し、ウィンドウガラス１に対して近距離からの投射が可能である。
【００４３】
図５は、プロジェクタ２のハードウェア構成の一例を示すブロック図である。図５に示すように、プロジェクタ２は、ＣＰＵ（Central Processing Unit）８０１と、ＲＯＭ（Read Only Memory）８０２と、ＲＡＭ（Random Access Memory）８０３と、メディアＩ／Ｆ８０７と、操作部８０８と、電源スイッチ８０９と、バスライン８１０とを備える。また、プロジェクタ２は、ネットワークＩ／Ｆ８１１と、ＬＥＤ（Light Emitting Diode）駆動回路８１４と、ＬＥＤ光源８１５と、投射デバイス８１６と、投射レンズ８１７と、外部機器接続Ｉ／Ｆ８１８と、ファン駆動回路８１９と、冷却ファン８２０とを備える。
【００４４】
これらのうち、ＣＰＵ８０１は、プロジェクタ２全体の動作を制御する。ＲＯＭ８０２は、ＣＰＵ８０１の駆動に用いられるプログラムを記憶する。ＲＡＭ８０３は、ＣＰＵ８０１のワークエリアとして使用される。
【００４５】
メディアＩ／Ｆ８０７は、フラッシュメモリ等の記録メディア８０６に対するデータの読み出し又は書き込み（記憶）を制御する。操作部８０８は、種々のキー、ボタン及びＬＥＤ等が配設されており、ユーザによるプロジェクタ２の電源のＯＮ／ＯＦＦ以外の各種操作を行うのに使用される。例えば、操作部８０８は、投写画像の大きさの調整操作、色調の調整操作、ピント調整操作、キーストン調整操作等の指示操作を受け付けて、受け付けた操作内容をＣＰＵ８０１に出力する。
【００４６】
電源スイッチ８０９は、プロジェクタ２の電源のＯＮ／ＯＦＦを切り換えるためのスイッチである。バスライン８１０は、図５に示されているＣＰＵ８０１等の各構成要素を電気的に接続するためのアドレスバスやデータバス等である。
【００４７】
ネットワークＩ／Ｆ８１１は、インターネット等の通信ネットワークを利用してデータ通信をするためのインターフェースである。ＬＥＤ駆動回路８１４は、ＣＰＵ８０１の制御下で、ＬＥＤ光源８１５の点灯及び消灯を制御する。ＬＥＤ光源８１５は、ＬＥＤ駆動回路８１４の制御によって点灯されると、投射光を投射デバイス８１６に照射する。
【００４８】
投射デバイス８１６は、外部機器接続Ｉ／Ｆ８１８等を介して与えられたコンテンツデータに基づいて、空間光変調方式によりＬＥＤ光源８１５からの投射光を変調して得た変調光を、投射レンズ８１７を通して、ウィンドウガラス１にコンテンツとして投射する。投射デバイス８１６としては、例えば、液晶パネルまたはＤＭＤ（Digital Micromirror Device）等が用いられている。ＬＥＤ駆動回路８１４、ＬＥＤ光源８１５、投射デバイス８１６及び投射レンズ８１７は、全体として、コンテンツデータに基づいて、ウィンドウガラス１にコンテンツを投射する投射光学部として機能している。
【００４９】
外部機器接続Ｉ／Ｆ８１８は、外部機器接続Ｉ／Ｆ８１８に無線、又は有線で接続されるコンピュータ５からコンテンツデータを取得し、また、プロジェクタ２を操作する操作信号を取得することができる。
【００５０】
ファン駆動回路８１９は、ＣＰＵ８０１及び冷却ファン８２０に接続されており、ＣＰＵ８０１からの制御信号に基づいて、冷却ファン８２０の駆動／駆動停止を行う。冷却ファン８２０は、回転することで、プロジェクタ２内部の空気を排気して、プロジェクタ２内部を冷却する。
【００５１】
ＣＰＵ８０１は、電源電力が供給されると、ＲＯＭ８０２に予め記憶されている制御プログラムに従って起動し、ＬＥＤ駆動回路８１４に制御信号を与えてＬＥＤ光源８１５を点灯させるとともに、ファン駆動回路８１９に制御信号を与えて冷却ファン８２０を所定の定格回転数で回転させる。また、プロジェクタ２は、電源回路からの電源電力の供給が開始されると、投射デバイス８１６が画像表示可能状態になり、更に、他の種々の構成要素へ電源回路から電力が供給される。
【００５２】
また、プロジェクタ２は、電源スイッチ８０９がＯＦＦ操作されると、電源スイッチ８０９から電源ＯＦＦ信号がＣＰＵ８０１に送られ、ＣＰＵ８０１は、電源ＯＦＦ信号を検知すると、ＬＥＤ駆動回路８１４へ制御信号を与えてＬＥＤ光源８１５を消灯させる。ＣＰＵ８０１は、その後、所定時間が経過すると、ファン駆動回路８１９へ制御信号を与えて冷却ファン８２０を停止させるとともに、自身で自身の制御処理を終了させ、最後に電源回路へ指示を与えて電源電力の供給を停止させる。
【００５３】
＜実施形態に係る第１遮蔽部、及び第２遮蔽部の構成＞
次に、実施形態に係る第１遮蔽部３、及び第２遮蔽部４の構成について説明する。
【００５４】
図６Ａは、ウィンドウガラス１と、プロジェクタ２と、第１遮蔽部３との位置関係を説明する図であり、（ａ）はプロジェクタ２の出射窓２１上のコンテンツの第１の領域と第２の境界２２と、ウィンドウガラス１上のコンテンツの第１の領域と第２の領域の境界２３について説明する図、（ｂ）はプロジェクタの出射窓２１上のコンテンツの第１の領域と第２の領域の境界２２と、ウィンドウガラス１上のコンテンツの第１の領域と第２の領域の境界２３とを含む面２４について説明する図である。
【００５５】
第１遮蔽部３は、可視光に対して遮光性（不透明性）を有する板状部材である。第１遮蔽部３は天井（図示を省略）から吊り下げられ、プロジェクタ２とウィンドウガラス１との間に所定の角度で固定される。第１遮蔽部３の材質として、発砲スチロールや不透明なアクリル樹脂等を用いることができる。但し、これらに限定されるものではなく、可視光に対して遮光性があれば、金属や布等の材質を用いても良い。また、透明なガラスや樹脂に遮光性を有するフィルムを貼りつけたり、塗料を塗ったりして、第１遮蔽部３を製作しても良い。また、第１遮蔽部３は、板状部材に限定されるものでもなく、フィルム等であっても良い。
【００５６】
発砲スチロールや樹脂を材質にすると、第１遮蔽部３を軽量化でき、好適である。また、フィルム等の柔軟性のある部材を用いると、後述するように、ロールスクリーンと一体にして巻き取ることが可能となり、持ち運びが容易になるとともに、設置も容易になって好適である。
【００５７】
図６Ａ（ａ）では、プロジェクタ２を用いてウィンドウガラス１にコンテンツを投射する場合、プロジェクタ２から出力されるコンテンツは、出射窓２１にも投射されることになる。
【００５８】
図６Ａ（ｂ）では、ウィンドウガラス１上の境界２３上で、可能な限り任意の点Ａ、Ｂ、Ｃ・・・を取り、出射窓２１上の境界の２２上に、点Ａ、Ｂ、Ｃにそれぞれ対応するＡ'、Ｂ'、Ｃ'・・・を取りそれぞれを直線で結んで形成される面を、境界２２と境界２３を含む面２４とする。
【００５９】
図６Ｂは、ウィンドウガラス１と、プロジェクタ２と、第１遮蔽部３との位置関係を説明する図であり、（ａ）ウィンドウガラス１と、プロジェクタ２と、第１遮蔽部３との位置の一例を示す図、（ｂ）ウィンドウガラス１と、プロジェクタ２と、第１遮蔽部３との位置の一例を示す図である。
【００６０】
図６Ｂ（ａ）では、第1遮蔽部３は、境界２２と境界２３を含む面２４の一部を含むように配置されている。このように、第１遮蔽部３の少なくとも一部を面２４上に配置することで、視点Ｂからコンテンツを視認すると、第１遮蔽部３により第１領域が視認できなり、一方で、コンテンツの第２の領域は視認することができる。
【００６１】
図６Ｂ（ｂ）では、第１遮蔽部３は、境界２２と境界２３を含む面２４上に配置されている。このように、第１遮蔽部３を面２４上に配置することで、視点Ｂからコンテンツを視認すると、第１遮蔽部３により第１領域が視認できなり、一方で、コンテンツの第２の領域は視認することができる。さらに、図６Ｂ（ｂ）のように第１遮蔽部３を配置すると、Ａ視点からコンテンツを視認した際に、図６Ｂ（ａ）と比べ、影の影響を抑えることができる。
【００６２】
次に、図７は、第１遮蔽部３の構成の一例を説明する図（その２）であり、（ａ）は実施形態に係る第１遮蔽部の構成の一例を示す図、（ｂ）変形例に係る第１遮蔽部の構成の一例を示す図である。
【００６３】
図７（ａ）における第１遮蔽部３は、図７（ｂ）に示す第１遮蔽部３２との比較のために示したものであり、図６Ｂ（ｂ）で説明したものと同様であるため、説明を省略する。
【００６４】
図７（ｂ）において、変形例に係る第１遮蔽部３２は、境界２２と境界２３上に配置されており、ウィンドウガラス１からプロジェクタ２に向かうにつれてテーパ状になっている。このようにすることで、Ａ視点からコンテンツを視認した際に、第１遮蔽部３２による影の長さｄ３を、第１遮蔽部３による影の長さｄ１と比較して、更に短くでき、視点Ａから見た時の不要な影の面積を更に小さくすることができる。
【００６５】
次に、第２遮蔽部４について説明する。第２遮蔽部４は、図１で示したように、ウィンドウガラス１の裏面側に設けられた板状部材である。材質として、発砲スチロールや不透明なアクリル樹脂等を用いることができるが、可視光に対して遮光性があれば、金属や布等の材質を用いても良い。また、板状部材に限定されるものではなく、ブロック状部材やフィルム状部材等を用いても良い。第２遮蔽部４の材質は、上述した第１遮蔽部３と同様であるため、さらに詳細な説明は省略する。
【００６６】
第２遮蔽部４は、天井から吊るしたり、床置きしたりして固定することができる。第１遮蔽部３と異なり、第２遮蔽部４の平面部がウィンドウガラス１の平面部と平行になるように設置することができるため、第２遮蔽部４としての板状部材やフィルム状部材を、ウィンドウガラス１の裏面側に貼り付けて第２遮蔽部４を設けることも可能である。また、図１では、第２遮蔽部４をウィンドウガラス１の下部に配置した例を示したが、第２遮蔽部４は、ウィンドウガラス１の裏面側の任意の位置に配置しても良い。
【００６７】
＜実施形態に係るコンピュータの構成＞
次に、実施形態に係るコンピュータの構成について説明する。
【００６８】
図８は、コンピュータ５のハードウェア構成の一例を示すブロック図である。図８に示すように、コンピュータ５は、ＣＰＵ５０１と、ＲＯＭ５０２と、ＲＡＭ５０３と、ＨＤ５０４と、ＨＤＤ(Hard Disk Drive)コントローラ５０５と、ディスプレイ５０６と、外部機器接続Ｉ／Ｆ(Interface)５０８とを備える。また、コンピュータ５は、ネットワークＩ／Ｆ５０９と、データバス５１０と、キーボード５１１と、ポインティングデバイス５１２と、ＤＶＤ−ＲＷ(Digital Versatile Disk Rewritable)ドライブ５１４と、メディアＩ／Ｆ５１６とを備える。
【００６９】
これらのうち、ＣＰＵ５０１は、コンピュータ５全体の動作を制御する。ＲＯＭ５０２は、ＩＰＬ等のＣＰＵ５０１の駆動に用いられるプログラムを記憶する。ＲＡＭ５０３は、ＣＰＵ５０１のワークエリアとして使用される。ＨＤ５０４は、プログラム等の各種データを記憶する。ＨＤＤコントローラ５０５は、ＣＰＵ５０１の制御にしたがってＨＤ５０４に対する各種データの読み出し又は書き込みを制御する。ディスプレイ５０６は、カーソル、メニュー、ウィンドウ、文字、又は画像などの各種情報を表示する。外部機器接続Ｉ／Ｆ５０８は、各種の外部機器を接続するためのインターフェースである。この場合の外部機器は、例えば、ＵＳＢ(Universal Serial Bus)メモリやプリンタ等である。ネットワークＩ／Ｆ５０９は、通信ネットワークを利用してデータ通信をするためのインターフェースである。バスライン５１０は、図８に示されているＣＰＵ５０１等の各構成要素を電気的に接続するためのアドレスバスやデータバス等である。
【００７０】
また、キーボード５１１は、文字、数値、各種指示などの入力のための複数のキーを備えた入力手段の一種である。ポインティングデバイス５１２は、各種指示の選択や実行、処理対象の選択、カーソルの移動などを行う入力手段の一種である。ＤＶＤ−ＲＷドライブ５１４は、着脱可能な記録媒体の一例としてのＤＶＤ−ＲＷ５１３に対する各種データの読み出し又は書き込みを制御する。なお、ＤＶＤ−ＲＷに限らず、ＤＶＤ−Ｒ等であってもよい。メディアＩ／Ｆ５１６は、フラッシュメモリ等のメディア５１５に対するデータの読み出し又は書き込み（記憶）を制御する。
【００７１】
次に、図９は、実施形態に係るコンピュータの機能構成の一例を示すブロック図である。図９に示すように、コンピュータ５は、文字データ取得部５１と、画像データ取得部５２と、コンテンツデータ生成部５３と、配置テンプレート記憶部５４とを備える。また、コンピュータ５は、コンテンツデータ表示部５５と、指示受付部５６と、反転処理部５７と、位置変更処理部５８と、サイズ変更処理部５９と、送信部６０とを備える。
【００７２】
ここで、文字データ取得部５１は、図８のキーボード５１１等により実現され、画像データ取得部５２は、図８の外部機器接続Ｉ／Ｆ５０８やメディア５１５等により実現される。この場合の外部機器は、外部のコンピュータやデジタルカメラ、ＵＳＢメモリ等である。配置テンプレート記憶部５４は、図８のＨＤ５０４等により実現される。
【００７３】
また、コンテンツデータ表示部５５は、図８のディスプレイ５０６等により実現され、指示受付部５６は、図８のキーボード５１１、又はポインティングデバイス５１２等により実現される。送信部６０は、図８の外部機器接続Ｉ／Ｆ５０８により実現される。この場合の外部機器はプロジェクタ２である。
【００７４】
さらに、コンテンツデータ生成部５３、反転処理部５７、位置変更処理部５８、及びサイズ変更処理部５９は、図８のＣＰＵ５０１が所定のプログラムを実行することにより実現される。
【００７５】
文字データ取得部５１は、表示システム１００の管理者等の操作がキーボード５１１等を用いて入力した文字データを取得し、コンテンツデータ生成部５３に出力する。
【００７６】
画像データ取得部５２は、外部のコンピュータやデジタルカメラ、ＵＳＢメモリ等の外部機器、メディア５１５等から画像又は映像データを取得し、コンテンツデータ生成部５３に出力する。画像又は映像は、上述したように、集客や広告等のための情報を提供する画像である。画像データ取得部５２は、外部のコンピュータにより予め生成された画像ファイル、或いはデジタルカメラで撮影された画像ファイル等を、外部機器接続Ｉ／Ｆ５０８等を介して取得することができる。
【００７７】
コンテンツデータ生成部５３は、配置テンプレート記憶部５４に記憶されたテンプレートに従って、入力した文字データ、画像データ又は映像データを配置し、コンテンツデータを生成する。テンプレートは、用途に応じたものが予め作成され、配置テンプレート記憶部５４に記憶されている。テンプレートに沿って生成されたコンテンツデータに対し、操作者の指示に応じて反転処理、位置変更処理、及びサイズ変更処理の画像処理が実行され、コンテンツデータの編集が行われる。コンテンツデータ生成部５３は、生成したコンテンツデータをコンテンツデータ表示部５５及び反転処理部５７に出力する。
【００７８】
コンテンツデータ表示部５５は、入力したコンテンツデータをディスプレイ５０６等に表示する。操作者は、コンテンツデータ表示部５５が表示するコンテンツデータを視認しながら、コンテンツデータにおける文字データ、画像データ又は映像データの反転、位置変更、及びサイズ変更の指示を、ポインティングデバイス５１２等を用いて行う。指示受付部５６は、これらの指示を受け付け、指示内容を示すデータを反転処理部５７、位置変更処理部５８、及びサイズ変更処理部５９にそれぞれ出力する。
【００７９】
反転処理部５７は、入力した指示に応じて、コンテンツデータにおける文字データ、画像データ、又は映像データの少なくとも一方を左右反転させる画像処理を実行する。そして、処理後のコンテンツデータを位置変更処理部５８に出力する。
【００８０】
位置変更処理部５８は、入力した指示に応じて、反転処理部５７から入力したコンテンツデータにおける文字データ、画像データ又は映像データの少なくとも一方の位置を変更させる画像処理を実行する。そして、処理後のコンテンツデータをサイズ変更処理部５９に出力する。
【００８１】
サイズ変更処理部５９は、入力した指示に応じて、位置変更処理部５８から入力したコンテンツデータにおける文字データ、画像データ又は映像データの少なくとも一方のサイズを変更させる画像処理を実行する。そして、処理後のコンテンツデータを送信部６０に出力する。
【００８２】
送信部６０は、サイズ変更処理部５９から入力した処理後のコンテンツデータを、外部機器接続Ｉ／Ｆ５０８を介してプロジェクタ２に出力する。
【００８３】
なお、反転処理部５７、位置変更処理部５８、及びサイズ変更処理部５９による処理の順番は適宜変更可能である。
【００８４】
＜実施形態に係るコンピュータによる処理＞
次に、実施形態に係るコンピュータによる処理について説明する。
【００８５】
図１０は、コンピュータ５による処理の一例を示すフローチャートである。
【００８６】
先ず、ステップＳ１０１において、文字データ取得部５１は、表示システム１００の管理者等の操作がキーボード５１１等を用いて入力した文字データを取得し、コンテンツデータ生成部５３に出力する。
【００８７】
続いて、ステップＳ１０２において、画像データ取得部５２は、外部のコンピュータやデジタルカメラ、ＵＳＢメモリ等の外部機器、メディア５１５等から画像データ又は映像データを取得し、コンテンツデータ生成部５３に出力する。
【００８８】
なお、ステップＳ１０１〜Ｓ１０２の処理は適宜順番が変更されても良い。また、両方の処理が並行して実行されても良い。
【００８９】
続いて、ステップＳ１０３において、コンテンツデータ生成部５３は、配置テンプレート記憶部５４に記憶されたテンプレートに従って、入力した文字データ、画像データ又は映像データを配置し、コンテンツデータを生成する。そして、生成したコンテンツデータをコンテンツデータ表示部５５及び反転処理部５７に出力する。
【００９０】
続いて、ステップＳ１０４において、コンテンツデータ表示部５５は、入力したコンテンツデータをディスプレイ５０６等に表示する。操作者は、コンテンツデータ表示部５５が表示するコンテンツデータを視認しながら、コンテンツデータにおける文字データ、画像データ又は映像データの反転、位置変更、及びサイズ変更の指示を、ポインティングデバイス５１２等を用いて行うことができる。
【００９１】
続いて、ステップＳ１０５において、指示受付部５６は、操作者による指示を受け付け、指示内容を示すデータを反転処理部５７、位置変更処理部５８、及びサイズ変更処理部５９にそれぞれ出力する。
【００９２】
続いて、ステップＳ１０６において、反転処理部５７は、入力した指示に基づき、反転処理の指示があったか否かを判定する。反転処理の指示があったと判定された場合（ステップＳ１０６、Ｙｅｓ）、ステップＳ１０７に移行し、反転処理部５７は、入力した指示に応じて、コンテンツデータにおける文字データ、画像データ又は映像データの少なくとも一方を左右反転させる画像処理を実行する。そして、処理後のコンテンツデータを位置変更処理部５８に出力する。
【００９３】
一方、ステップＳ１０６において、反転処理の指示がなかったと判定された場合（ステップＳ１０６、Ｎｏ）、ステップＳ１０８に移行する。
【００９４】
続いて、ステップＳ１０８において、位置変更処理部５８は、入力した指示に基づき、位置変更処理の指示があったか否かを判定する。位置変更処理の指示があったと判定された場合（ステップＳ１０８、Ｙｅｓ）、ステップＳ１０９に移行し、位置変更処理部５８は、入力した指示に応じて、コンテンツデータにおける文字データ、画像データ又は映像データの少なくとも一方の位置を変更させる画像処理を実行する。そして、処理後のコンテンツデータをサイズ変更処理部５９に出力する。
【００９５】
一方、ステップＳ１０８において、位置変更処理の指示がなかったと判定された場合（ステップＳ１０８、Ｎｏ）、ステップＳ１１０に移行する。
【００９６】
続いて、ステップＳ１１０において、サイズ変更処理部５９は、入力した指示に基づき、サイズ変更処理の指示があったか否かを判定する。サイズ変更処理の指示があったと判定された場合（ステップＳ１１０、Ｙｅｓ）、ステップＳ１１１に移行し、サイズ変更処理部５９は、入力した指示に応じて、コンテンツデータにおける文字データ、画像データ又は映像データの少なくとも一方のサイズを変更させる画像処理を実行する。そして、処理後のコンテンツデータを送信部６０に出力する。
【００９７】
一方、ステップＳ１１０において、サイズ変更処理の指示がなかったと判定された場合（ステップＳ１１０、Ｎｏ）、ステップＳ１１２に移行する。
【００９８】
なお、反転処理（ステップＳ１０６〜Ｓ１０７）と、位置変更処理（ステップＳ１０８〜Ｓ１０９）と、サイズ変更処理（ステップＳ１１０〜Ｓ１１１）の処理の順番は、適宜変更可能である。
【００９９】
続いて、ステップＳ１１２において、送信部６０は、サイズ変更処理部５９から入力した処理後のコンテンツデータを、外部機器接続Ｉ／Ｆ５０８を介してプロジェクタ２に出力する。
【０１００】
このようにして、コンピュータ５は、表示システム１００の管理者等の操作者による指示に応じて、外部装置から入力された文字データ、画像データ又は映像データに基づいて生成したコンテンツデータに所定の画像処理を実行する。そして、処理後のコンテンツデータをプロジェクタ２に送信することができる。これにより、表示システム１００は、操作者の要求に応じて文字や画像又は映像の向き、位置、及びサイズが編集されたコンテンツをウィンドウガラス１に表示させることができる。
【０１０１】
＜コンテンツデータ表示部が表示するコンテンツデータの例＞
次に、コンテンツデータ表示部５５がコンピュータ５のディスプレイ５０６（図８）等に表示させるコンテンツデータの例を図１１〜図１４を参照して説明する。図１１〜図１４は、何れもディスプレイ５０６に表示された画面を示している。なお、図１１〜１４のコンテンツデータは、ウィンドウガラス１の表面側に投射されるコンテンツを示すものである。
【０１０２】
図１１は、コンテンツデータの一例を示す図（その１）である。図１１では、画面５５１の上部に文字データ領域５５１ａが表示され、下部に文字データ領域５５１ｃが表示され、中央に画像データ領域５５１ｂが表示されている。文字データ領域５５１ａを第１遮蔽部３によりＢ視点からコンテンツを視認したときに視認できないようにする場合、操作者は、画面５５１を見ながら、文字データ領域５５１ａを「裏面側に投影する部分画像領域」として左右反転させる指示を行う。文字データ領域５５１ｃを第１遮蔽部３によりＢ視点からコンテンツを視認したときに視認できないようにする場合、操作者は、文字データ領域５５１ｃを「裏面側に投影する部分画像領域」として左右反転させる指示を行う。
【０１０３】
ここで、「裏面側に投影する部分画像領域」とは、ウィンドウガラス１に投影されたコンテンツにおいて、Ｂ視点から投影されたコンテンツを視認した際に、第１遮蔽部３によりＢ視点からは視認できないように遮蔽される領域である。
【０１０４】
また、操作者は、画面５５１を見ながら、文字、画像又は映像を表示させたい位置に応じて、各領域の位置を変更する指示を行うことができる。さらに、文字データ領域５５１ａ及び５５１ｃにおける文字の量や、画像データ領域５５１ｂに表示させる画像又は映像データのサイズ等に応じて、各領域のサイズを変更する指示を行うことができる。
【０１０５】
図１２は、コンテンツデータの一例を示す図（その２）である。図１２では、画面５５２の上部に画像データ領域５５２ａが表示され、下部に画像データ領域５５２ｃが表示され、中央に文字データ領域５５２ｂが表示されている。文字データ領域５５２ｂを第１遮蔽部３によりＢ視点からコンテンツを視認できないようにする場合、操作者は、画面５５２を見ながら、文字データ領域５５２ｂを「裏面側に投影する部分画像領域」として左右反転させる指示を行う。文字データ領域５５２ｂを第２遮蔽部４で見えなくする場合は、操作者は、文字データ領域５５２ｂを左右反転させない。
【０１０６】
各領域の位置、及びサイズの変更については、図１１で説明したものと同様であるため、説明を省略する。
【０１０７】
図１３は、コンテンツデータの一例を示す図（その３）である。図１３では、画面５５２の左部に文字データ領域５５３ａが表示され、右部に文字データ領域５５３ｃが表示され、中央に画像データ領域５５３ｂが表示されている。文字データ領域５５３ａを第１遮蔽部３によりＢ視点からコンテンツを視認できないようにする場合、操作者は、画面５５３を見ながら、文字データ領域５５３ａを「裏面側に投影する部分画像領域」として左右反転させる指示を行う。また、文字データ領域５５３ｃを第１遮蔽部３によりＢ視点からコンテンツを視認できないようにする場合は、操作者は、文字データ領域５５３ｃを「裏面側に投影する部分画像領域」として左右反転させる指示を行う。
【０１０８】
各領域の位置、及びサイズの変更については、図１１で説明したものと同様であるため、説明を省略する。
【０１０９】
図１４は、コンテンツデータの一例を示す図（その４）である。図１４では、画面５５４の左部に画像データ領域５５４ａが表示され、右部に画像データ領域５５４ｃが表示され、中央に文字データ領域５５４ｂが表示されている。文字データ領域５５４ｂを第１遮蔽部３によりＢ視点からコンテンツを視認したときに視認できないようにする場合、操作者は、画面５５４を見ながら、文字データ領域５５４ｂを「裏面側に投影する部分画像領域」として左右反転させる指示を行う。文字データ領域５５４ｂを第２遮蔽部４によりＡ視点からコンテンツを視認できないようにする場合は、操作者は、文字データ領域５５４ｂを左右反転させない。
【０１１０】
各領域の位置、及びサイズの変更については、図１１で説明したものと同様であるため、説明を省略する。
【０１１１】
このようにして、操作者は、ディスプレイ５０６等に表示されたコンテンツデータを見ながら、左右反転、位置変更、及びサイズ変更の指示を行うことができる。なお、図１１〜１４を用いて説明した指示は一例であり、操作者は上述したもの以外の左右反転、位置変更、及びサイズ変更の指示を行うことも可能である。
【０１１２】
＜効果＞
以上説明してきたように、本実施形態に係る表示システム１００では、ウィンドウガラス１等のコンテンツ被表示部の表面側に投射したコンテンツのうち、視点Ａから視認時に左右反転して見える文字や画像又は映像を第２遮蔽部４により遮蔽し、視点Ｂから視認した時に左右反転して見える文字や画像又は映像を第１遮蔽部３で遮蔽して、それぞれ視認できないようにすることができる。これにより、視点Ａ及び視点Ｂからコンテンツを視認した人が、左右反転した文字に注意を奪われることを防ぎ、正しい方向に表示された文字や画像又は映像による情報を適切に提供することができる。
【０１１３】
また、表示システム１００では、プロジェクタ２と無線、又は有線により、通信可能に接続されたコンピュータ５を備え、コンピュータ５からコンテンツデータをプロジェクタ２に送信することができる。
【０１１４】
さらに、コンピュータ５は、文字データ、画像データ又は映像データに基づいて生成したコンテンツデータに対し、表示システムの管理者等の操作者による指示に応じて、所定の画像処理を実行することができる。これにより、操作者の要求に応じて文字や画像又は映像の向き、位置、及びサイズが編集されたコンテンツを、ウィンドウガラス１に表示させることができる。
【０１１５】
［第２の実施形態］
次に、第２の実施形態に係る表示システムを説明する。なお、既に説明した実施形態と同一の構成部についての説明は省略する。
【０１１６】
図１５は、本実施形態に係る表示システムの構成の一例を説明する図である。図１５に示すように、表示システム１００ａは、第１の実施形態におけるウィンドウガラス１に代え、コンテンツ被表示部としてロールスクリーン１ａを備える。ロールスクリーン１ａは天井２００に設けられた固定部に着脱可能に吊り下げられている。ここで、ロールスクリーン１ａは「巻き取り式表示面」の一例である。
【０１１７】
ロールスクリーン１ａは、筒状の収納部１１ａと、薄い樹脂や布等の可撓性部材で構成されたスクリーン１２ａとを備える。収容部１１ａは、収納部１１ａ内に設けられた軸に巻き付けるようにしてスクリーン１２ａを収納する。収納部１１ａ内に設けられた軸は、巻取部の一例である。スクリーン１２ａは、収納時には収納部１１ａに巻き取られて収納される。また、スクリーンとして使用する時には収納部１１ａが破線の矢印に引き下ろされ、スクリーン１２ａが収納部１１ａから引き出される。引き出されたスクリーン１２ａは、コンテンツが投射される平面部を構成する。なお、図１５は、引き出す途中のスクリーン１２ａを示している。
【０１１８】
スクリーン１２ａは、光拡散性と光透過性を有する。平面部にプロジェクタ２からコンテンツが投射されると、コンテンツを表示し、表面側（Ｂ視点側）と裏面側（Ａ視点側）の両側から視認させることができる。
【０１１９】
ロールスクリーン１ａは天井２００から着脱可能で、また、収納部１１ａにスクリーン１２ａを収納すると小型化できるため、容易に持ち運ぶことができ、店舗の内部の天井等の任意の場所に設置することができる。
【０１２０】
図１６は、ロールスクリーン１ａの構成の一例を更に詳細に説明する図である。（ａ）はスクリーン１２ａを引き出す前の状態を示す図、（ｂ）はスクリーン１２ａを引き出した後の状態を示す図である。
【０１２１】
図１６（ａ）において、スクリーン１２ａは、収納部１１ａ内に収納され、収納部１１ａは天井２００に近い位置まで引き上げられている。この状態から、収納部１１ａを破線の矢印で示す方向に引き下ろすと、スクリーン１２ａが収納部１１ａから引き出され、図１６（ｂ）に示すように、コンテンツが投射させる平面部が構成される。
【０１２２】
また、図１６（ｂ）に示すように、ロールスクリーン１ａでは、収納部１１ａから引き出されると、スクリーン１２ａの上部（天井２００付近）に第１遮蔽部３ａが配置され、また、スクリーン１２ａの下部には第２遮蔽部４ａが配置されるようになっている。
【０１２３】
第１遮蔽部３ａは、遮光性と可撓性を有するフィルムや布で構成され、図１６に示すように、一端が天井２００に設けられた固定部に着脱可能に固定され、他端はスクリーン１２ａの一部に固定されている。可撓性を有するため、スクリーン１２ａが収納部１１ａに巻き取られた状態では、スクリーン１２ａと一体にして巻き取られ、収納部１１ａ内に収納される。収納部１１ａが引き下ろされると、スクリーン１２ａと共に収納部１１ａから引き出され、スクリーン１２ａとプロジェクタ２との間に配置されて、「裏面側に投影する部分画像領域」をＢ視点からコンテンツを視認したときに視認できないように遮蔽可能な状態になる。
【０１２４】
第２遮蔽部４ａは、同様に、遮光性と可撓性を有するフィルムや布で構成され、スクリーン１２ａの下部の裏面側に貼り付けられている。可撓性を有するため、スクリーン１２ａが収納部１１ａに巻き取られた状態では、スクリーン１２ａと一体にして巻き取られ、収納部１１ａ内に収納される。収納部１１ａが引き下ろされると、スクリーン１２ａと共に収納部１１ａから引き出され、「表面側に表示させる部分画像」をＡ視点からコンテンツを視認したときに視認できないように遮蔽可能な状態になる。
【０１２５】
＜効果＞
以上説明したように、本実施形態では、コンテンツ被表示部としてロールスクリーン１ａを備える。ロールスクリーン１ａは容易に持ち運ぶことができるため、ウィンドウガラス１のように限られた場所だけでなく、店舗や展示会の会場等における任意の場所に、表示システム１００ａを構築することが可能となる。
【０１２６】
また、第１遮蔽部３ａと第２遮蔽部４ａを、スクリーン１２ａと一体にして収納部１１ａ内に収納可能にすることで、第１遮蔽部３ａと第２遮蔽部４ａをロールスクリーン１ａと一体にして持ち運ぶことができ、取扱いが容易になる。また、第１遮蔽部３ａと第２遮蔽部４ａを設置する作業を簡略化し、表示システム１００ａを構築（設営）する作業を簡略化することができる。
【０１２７】
なお、上記以外の効果は、第１の実施形態で説明したものと同様である。この点は、以下で説明する第３の実施形態と第４の実施形態においても同様である。
【０１２８】
［第３の実施形態］
次に、第３の実施形態に係る表示システムを説明する。
【０１２９】
図１７は、本実施形態に係る表示システム１００ｂの構成の一例を説明する図である。図１７に示すように、本実施形態では、プロジェクタ２を床置きの状態にして、プロジェクタ２からウィンドウガラス１にコンテンツを投射する。
【０１３０】
この場合、第１遮蔽部３ｂは、ウィンドウガラス１の下部に配置される。また、第２遮蔽部４ｂを配置する位置は、ウィンドウガラス１の裏面側の任意の位置で良いが、図１７の例では、ウィンドウガラス１の上部に配置されている。
【０１３１】
プロジェクタ２を床置きの状態にすることで、プロジェクタ２を天井から吊り下げる場合や、設置台等の上に設置する場合と比較して、プロジェクタ２の設置位置をより柔軟に決定し、また、変更することができる。
【０１３２】
図１８は、実施形態の変形例に係る表示システム１００ｃの構成の一例を説明する図である。図１７と同様に、プロジェクタ２は床置きの状態であり、また、第１遮蔽部３ｂは、ウィンドウガラス１の下部に配置されている。一方、第２遮蔽部４ｃは、板状部材と比較して厚みのあるブロック状部材であり、ウィンドウガラス１の裏面側の中央に配置されている。
【０１３３】
図１９は、表示システム１００ｃによるコンテンツの一例を説明する図である。（ａ）は遮蔽されていない状態のコンテンツの一例を示す図、（ｂ）は視点Ａから見た時の反転文字及び画像又は映像が遮蔽された（ａ）のコンテンツを示す図、（ｃ）は視点Ｂから見た時の反転文字及び画像又は映像が遮蔽された（ａ）のコンテンツを示す図である。
【０１３４】
図１９（ａ）は、視点Ａから見たときのコンテンツであり、遮蔽されていない状態であるため、中央部に左右反転された文字及び画像又は映像が含まれている。
【０１３５】
図１９（ｂ）では、視点Ａから見たときのコンテンツの左右反転された文字及び画像又は映像が、第２遮蔽部４ｃで遮蔽されている。ここで、第２遮蔽部４ｃの平面部には、ウィンドウガラス１の裏面側に情報を表示させる情報表示部が含まれている。図１９（ｂ）の例では、情報表示部に「Ａ社広告」の文字が表示されている。
【０１３６】
このように、第２遮蔽部４ｃの平面部を利用することで、表面側と裏面側とで投影するコンテンツにおいて異なる情報を表示させることができる。なお、第２遮蔽部４ｃがブロック状部材で構成された例を示したが、これに限定されるものではなく、板状部材、フィルム状部材等で構成しても良い。
【０１３７】
図１９（ｃ）は、視点Bから見たときのコンテンツであり、コンテンツの下部において、左右反転された文字及び画像又は映像が遮蔽されている。
【０１３８】
＜効果＞
以上説明したように、本実施形態では、プロジェクタ２を床置きの状態にすることで、プロジェクタ２を天井から吊り下げる場合や、設置台等の上に設置する場合と比較して、プロジェクタ２の設置位置をより柔軟に決定し、また、変更することができる。
【０１３９】
また、第２遮蔽部４ｃの平面部を利用して、情報表示部を設けることで、表面側と裏面側とで投影するコンテンツにおいて異なる情報を表示させることができる。
【０１４０】
［第４の実施形態］
次に、第４の実施形態に係る表示システムを説明する。
【０１４１】
図２０は、本実施形態に係る表示システム１００ｄの構成の一例を説明する図である。図２０に示すように、表示システム１００ｄは、プロジェクタ２ｄを備える。
【０１４２】
プロジェクタ２ｄは、出射窓２１ｄと、外部機器接続Ｉ／Ｆ８１８を備え、コンテンツの投射画像を生成する光学エンジンが内部に設けられている。プロジェクタ２ｄは、例えば外部機器接続Ｉ／Ｆ８１８に接続されるパソコンやデジタルカメラからコンテンツデータが送信されると、光学エンジンが送信されたコンテンツデータに基づいて投射されるコンテンツを生成し、図２０に示されているように、出射窓２１ｄからウィンドウガラス１にコンテンツを投射する。プロジェクタ２ｄのハードウェア構成は、図５を用いて説明したものと同様であるため、ここでは説明を省略する。
【０１４３】
プロジェクタ２ｄは、投射光学系を短焦点化し、また、投射光学系に含まれる曲面ミラーで反射されたコンテンツ光を投射する。これにより、プロジェクタ２ｄは、ウィンドウガラス１の至近距離からコンテンツを投射することができ、プロジェクタ２ｄとウィンドウガラス１との間隔を狭めることで、表示システム１００ｄの全体のサイズを小型化することができる。
【０１４４】
以上、実施形態を説明したが、本発明は、具体的に開示された上記の実施形態に限定されるものではなく、特許請求の範囲から逸脱することなく、種々の変形や変更が可能である。
【０１４５】
また、実施形態は、表示方法も含む。例えば、表示方法は、第１面と第２面とを有するコンテンツ被表示部の前記表面に、第１の領域と第２の領域を含む画像又は映像であるコンテンツを投射する投射工程と、投射された前記コンテンツを前記第２面から見た際に前記第１の領域と前記第２の領域に投射された該コンテンツを視認することができ、投射された前記コンテンツを前記第１面から見た際に前記第１領域に投射された該コンテンツを視認できないように、前記コンテンツ被表示部と前記投射部の間に配置された第１遮蔽工程と、を含む。このような表示方法により、上述の表示システム及び表示装置と同様の効果を得ることができる。
【０１４６】
さらに、実施形態は、プログラムも含む。例えば、プログラムは、画像処理装置を、操作者の指示を受け付ける指示受付部、入力された文字データ及びコンテンツ画像データを含むコンテンツデータを生成するコンテンツデータ生成部、前記コンテンツデータを表示するコンテンツデータ表示部、前記指示に応じて、前記コンテンツデータにおける前記文字データ、画像データ、又は映像データの少なくとも一方を左右反転させる反転処理部、及び処理後の前記コンテンツデータを送信する送信部として機能させる。このようなプログラムにより、上述の表示システム及び表示装置と同様の効果を得ることができる。
【０１４７】
また、上記で説明した実施形態の各機能は、一又は複数の処理回路によって実現することが可能である。ここで、本明細書における「処理回路」とは、電子回路により実装されるプロセッサのようにソフトウェアによって各機能を実行するようプログラミングされたプロセッサや、上記で説明した各機能を実行するよう設計されたASIC(Application Specific Integrated Circuit)、DSP（digital signal processor）、FPGA（field programmable gate array）や従来の回路モジュール等のデバイスを含むものとする。
【符号の説明】
【０１４８】
１      ウィンドウガラス（コンテンツ被表示部の一例）
１ａ    ロールスクリーン（コンテンツ被表示部の一例）
１１ａ  収納部
１２ａ  スクリーン
２      プロジェクタ（投射部の一例）
３      第１遮蔽部
４      第２遮蔽部
５      コンピュータ（画像処理装置の一例）
５１    文字データ取得部
５２    画像データ取得部
５３    コンテンツデータ生成部
５４    配置テンプレート記憶部
５５    コンテンツデータ表示部
５６    指示受付部
５７    反転処理部
５８    位置変更処理部
５９    サイズ変更処理部
６０    送信部
１０    表示装置
【先行技術文献】
【特許文献】
【０１４９】
【特許文献１】特開２００９‐２１０７７８号公報
【特許文献２】特開２０１５‐２２６２９６号公報
【図１】
2020148969.tif 000003
【図２】
2020148969.tif 000004
【図３】
2020148969.tif 000005
【図４】
2020148969.tif 000006
【図５】
2020148969.tif 000007
【図６Ａ】
2020148969.tif 000008
【図６Ｂ】
2020148969.tif 000009
【図７】
2020148969.tif 000010
【図８】
2020148969.tif 000011
【図９】
2020148969.tif 000012
【図１０】
2020148969.tif 000013
【図１１】
2020148969.tif 000014
【図１２】
2020148969.tif 000015
【図１３】
2020148969.tif 000016
【図１４】
2020148969.tif 000017
【図１５】
2020148969.tif 000018
【図１６】
2020148969.tif 000019
【図１７】
2020148969.tif 000020
【図１８】
2020148969.tif 000021
【図１９】
2020148969.tif 000022
【図２０】
2020148969.tif 000023